【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
第１のインクの液滴を射出する、第１の基板面に形成された第１のインク射出要素配列と、
第２のインクの液滴を射出する、第２の基板面に形成された第２のインク射出要素配列と、
前記第１のインク射出要素配列および前記第２のインク射出要素配列に関係付けられたメモリ要素であって、前記第１のインク射出要素配列および前記の第２のインク射出要素配列の液滴射出特性に関連するパラメータを収容するメモリ要素と、
前記第１および第２のインク射出要素を支持する支持構造と、
を備えることを特徴とする印刷システム。
【請求項２】
前記第１および第２の基板面は別々の基板上に形成されることを特徴とする請求項１に記載の印刷システム。
【請求項３】
前記第１および第２の基板面は同じ基板上に形成されることを特徴とする請求項１に記載の印刷システム。
【請求項４】
前記支持構造を保持する走査キャリッジをさらに備えることを特徴とする請求項１に記載の印刷システム。
【請求項５】
前記メモリ要素のパラメータはインク射出の位置合わせデータを含むことを特徴とする請求項１に記載の印刷システム。
【請求項６】
前記インク射出の位置合わせデータは、前記第１のインクの液滴が前記第２のインクの液滴に有効に位置合わせされるように、前記第１および前記第２のインク射出要素配列の間の相対的な位置を計算することを可能にすることを特徴とする請求項５に記載の印刷システム。
【請求項７】
前記メモリ要素のパラメータはインクの液滴量のデータを含むことを特徴とする請求項１に記載の印刷システム。
【請求項８】
前記インクの液滴量のデータは、前記印刷システムが色相制御を行なうことができるように、前記第１および前記第２のインク射出要素配列の間の相対的な液滴量を計算することを可能にすることを特徴とする請求項７に記載の印刷システム。
【請求項９】
前記メモリ要素は、前記支持構造上に複数の電気接点を有し、前記電気接点は前記走査キャリッジ上の複数の電気接点と係合して印刷システム内の処理装置が前記メモリ要素にアクセスすることを可能にすることを特徴とする請求項４に記載の印刷システム。
【請求項１０】
前記メモリ要素は前記支持構造に取り付けられることを特徴とする請求項４に記載の印刷システム。
【請求項１１】
前記メモリ要素のパラメータは前記走査キャリッジに前記支持構造を取り付ける前に前記第１および前記第２のインク射出要素配列について測定されることを特徴とする請求項４に記載の印刷システム。
【請求項１２】
前記第１および前記第２のインクは異なる着色剤であることを特徴とする請求項１に記載の印刷システム。
【請求項１３】
第１のインクの液滴を射出する、第１の基板面に形成された第１のインク射出要素配列と、
第２のインクの液滴を射出する、前記第１の基板面と略同一平面上にある第２の基板面に形成された第２のインク射出要素配列と、
第１のハウジングであって、前記第１のハウジングに取り付けられた前記第１のインク射出要素配列に前記第１のインクを個別に送る第１のハウジングと、
第２のハウジングであって、前記第２のハウジングに取り付けられた前記第２のインク射出要素配列に前記第２のインクを個別に送る第２のハウジングと、
前記第１および前記第２のハウジングを固定的に取り付ける一体的支持構造と、
を備えることを特徴とするインクジェット印刷システム。
【請求項１４】
前記第１および前記第２のハウジングは個別に製作されることを特徴とする請求項１３に記載のインクジェット印刷システム。
【請求項１５】
前記第１のハウジングは前記第２のハウジングと略同一であることを特徴とする請求項１３に記載のインクジェット印刷システム。
【請求項１６】
前記支持構造を保持する走査キャリッジをさらに備えることを特徴とする請求項１３に記載のインクジェット印刷システム。
【請求項１７】
前記第１のインク射出要素配列および前記第２のインク射出要素配列に関係付けられたメモリ要素であって、前記第１のインク射出要素配列および前記の第２のインク射出要素配列の液滴射出特性を関係付けるパラメータを保持するメモリ要素をさらに備えることを特徴とする請求項１３に記載のインクジェット印刷システム。
【請求項１８】
第１のインク液滴を射出する、第１の基板面に形成された第１のインク射出要素配列を設けるステップと、
第２のインク液滴を射出する、第２の基板面に形成された第２のインク射出要素配列を設けるステップと、
前記第１のインク射出要素配列および前記第２のインク射出要素配列を相対的に固定されるように位置合わせした状態で固定的に結合することによってプリントヘッドアッセンブリーを形成するステップと、
を含むことを特徴とする印刷システムの組み立て方法。
【請求項１９】
前記第１のインク射出要素配列および前記第２のインク射出要素配列の液滴射出特性を関係付けるパラメータを得るために、前記プリントヘッドアッセンブリーをテストするステップと、
前記第１のインク射出要素配列および前記第２のインク射出要素配列に関係付けられたメモリ要素を設けるステップと、
前記第１のインク射出要素配列および前記第２のインク射出要素配列の液滴射出特性を関係付ける前記パラメータを前記メモリ要素に記録するステップと、
をさらに含むことを特徴とする請求項１８に記載の印刷システムの組み立て方法。
【請求項２０】
前記第１のインク射出要素配列および前記第２のインク射出要素配列の液滴射出特性を関係付ける前記パラメータは、第１のインクの液滴が第２のインクの液滴に有効に位置合わせされるように、前記第１および第２のインク射出要素配列の相対的位置合わせを計算することを可能にすることを特徴とする請求項１９に記載の印刷システムの組み立て方法。
【請求項２１】
前記第１のインク射出要素配列および前記第２のインク射出要素配列の液滴射出特性を関係付ける前記パラメータは、前記印刷システムが色相制御を行なうことができるように、前記第１および前記第２のインク射出要素配列の間の相対的な液滴量を計算することを可能にすることを特徴とする請求項１９に記載の印刷システムの組み立て方法。
【請求項２２】
第１のインクの液滴を射出する、第１の基板面に形成された第１のインク射出要素配列を設けるステップと、
前記第１のインク射出要素配列を収容するように構成された第１のハウジングを設けるステップと、
前記第１のハウジングが前記第１のインク射出要素配列に前記第１のインクを個別に送るように、前記第１のハウジングに前記第１のインク射出要素配列を取り付けるステップと、
第２のインクの液滴を射出する、第２の基板面に形成された第２のインク射出要素配列を設けるステップと、
前記第２のインク射出要素配列を収容するように構成された第２のハウジングを設けるステップと、
前記第２のハウジングが前記第２のインク射出要素配列に前記第２のインクを個別に送るように、前記第２のハウジングに前記第２のインク射出要素配列を取り付けるステップと、
前記第１のインク射出要素配列と前記第２のインク射出要素配列とが略同一平面上にあるように前記第１のハウジングを前記第２のハウジングに相対的に固定されるように位置合わせした状態で固定的に取り付けることによってプリントヘッドアッセンブリーを組み立てるステップと、
を含むことを特徴とする印刷システムの組み立て方法。
【請求項２３】
前記第１のインク射出要素配列および前記第２のインク射出要素配列の液滴射出特性を関係付けるパラメータを得るために前記プリントヘッドアッセンブリーをテストするステップと、
前記第１のインク射出要素配列および前記第２のインク射出要素配列に関連付けられたメモリ要素を設けるステップと、
前記第１のインク射出要素配列および前記第２のインク射出要素配列の液滴射出特性を関係付ける前記パラメータを前記メモリ要素に記録するステップと、
をさらに含むことを特徴とする請求項２２に記載の印刷システムの組み立て方法。
【請求項２４】
前記第１のインク射出要素配列および前記第２のインク射出要素配列の液滴射出特性を関係付ける前記パラメータは、第１のインクの液滴が第２のインクの液滴に有効に位置合わせされるように、前記第１および第２のインク射出要素配列の相対的位置合わせを計算することを可能にすることを特徴とする請求項２３に記載の印刷システムの組み立て方法。
【請求項２５】
前記第１のインク射出要素配列および前記第２のインク射出要素配列の液滴射出特性を関係付ける前記パラメータは、前記印刷システムが色相制御を行なうことができるように、前記第１および前記第２のインク射出要素配列の間の相対的な液滴量を計算することを可能にすることを特徴とする請求項２３に記載の印刷システムの組み立て方法。
【請求項２６】
前記第１のハウジングに前記第１のインク射出要素配列を取り付けるステップと、前記第２のハウジングに前記第２のインク射出要素配列を取り付けるステップと、によって完全に機能する印刷カートリッジが得られることを特徴とする請求項２２に記載の印刷システムの組み立て方法。